(57)【要約】【課題】  走行機体上の肥料タンクに収容された流動性肥料を、繰出装置により一定量づつ繰出して、繰出駆動装置でノズルを上下動させて地中に施肥する施肥機において、製作コストを比較的安く押さえたものであり乍ら、肥料タンクの容量を増大させて作業効率を向上させると共に、走行機体の移動を円滑にし、且つ流動性肥料を抜いた後のタンク内への肥料の残量を極力少なく出来る施肥機のタンクを得る。【解決手段】  肥料タンクを上下に２段の構成で、両タンクの大きさを同一若しくは大差のないサイズにすると共に、上段のタンクの略中央を走行機体の重心位置上方となるように配置した。  また、肥料タンクを扁平状で上下に２段の構成にすると共に、走行機体の前方側に向けて稍傾斜させた。【選択図】        図１
2005137302.tif 000002
【特許請求の範囲】
【請求項１】
走行機体上の肥料タンクに収容された流動性肥料を、繰出装置により一定量づつ繰出して、繰出駆動装置でノズルを上下動させて地中に施肥する施肥機において、上記肥料タンクを上下に２段の構成で、両タンクの大きさを同一若しくは大差のないサイズにすると共に、上段のタンクの略中央を走行機体の重心位置上方となるように配置したことを特徴とする施肥機のタンク。
【請求項２】
肥料タンクを扁平状で上下に２段の構成にすると共に、走行機体の前方側に向けて稍傾斜させた請求項１記載の施肥機のタンク。
【発明の詳細な説明】
【技術分野】
【０００１】
本発明は、施肥機の肥料タンク構造に関する。
【背景技術】
【０００２】
従来より、畑やハウス内での野菜等の管理作業機として、歩行型施肥機上にノズルで地中に施肥する流動性肥料用の単体での肥料タンクを搭載した技術は、既に知られている（例えば、特許文献１参照）。
【特許文献１】特開平１１−２８５３０９号公報（第２，３頁、図１，２）。
【発明の開示】
【発明が解決しようとする課題】
【０００３】
しかしながら、従来公知の上記特許文献１に記載のものでは、施肥機のレイアウト上より、肥料タンクの容量が余り大きく取れないため、広い圃場での施肥作業時には頻繁に肥料を補給する必要があり、その度毎に肥料の施肥作業を中断する等作業効率が悪く、また、肥料タンクの容量を増すために、単に肥料タンクを平面的に大きくした場合、肥料タンク内に重量の大なる流動性肥料を満たした状態では、路上での機体走行や圃場等での施肥作業時の機体の移動が不安定で、円滑に移動出来なくなると共に、オペレータが機体の直進性を維持するためのハンドル操作で疲れてしまうとの課題があった。
本発明の目的は、製作コストを比較的安く押さえたものであり乍ら、上記従来の諸不具合を改善する点にある。
【課題を解決するための手段】
【０００４】
上記目的を達成するため、本発明においては、走行機体上の肥料タンクに収容された流動性肥料を、繰出装置により一定量づつ繰出して、繰出駆動装置でノズルを上下動させて地中に施肥する施肥機において、上記肥料タンクを上下に２段の構成で、両タンクの大きさを同一若しくは大差のないサイズにすると共に、上段のタンクの略中央を走行機体の重心位置上方となるように配置したことを第１の特徴とする。
【０００５】
また、肥料タンクを扁平状で上下に２段の構成にすると共に、走行機体の前方側に向けて稍傾斜させたことを第２の特徴とする。
【発明の効果】
【０００６】
肥料タンクを、上下に２段の構成で、両タンクの大きさを同一若しくは大差のないサイズにすると共に、上段のタンクの略中央を走行機体の重心位置上方となるように配置したので、製作コストを比較的安く押さえたものであり乍ら、１度の肥料の補給で収容出来る肥料の容量が増加して、施肥作業時の連続作業が可能となり、作業の効率を向上させると共に、走行機体全体の重量バランスが安定し、路上での走行や圃場等での施肥作業時の機体移動が円滑となり、オペレータも運転操作が楽となる。
更に、上記肥料タンクを扁平状で上下に２段の構成にすると共に、走行機体の前方側に向けて稍傾斜させたので、上段のタンク内の肥料がなくなってから、下段のタンク内の肥料がなくなることとなり、粘着性の強い流動性肥料の場合であっても、肥料を抜いた後のタンク内への残量が少なくなって、無駄が省かれると同時にタンク内の洗浄等の掃除も楽となる。
【発明を実施するための最良の形態】
【０００７】
走行機体上の肥料タンクに収容された流動性肥料を、繰出装置により一定量づつ繰出して、繰出駆動装置でノズルを上下動させて地中に施肥する施肥機において、上記肥料タンクを、上下に２段の構成で、両タンクの大きさを同一若しくは大差のないサイズの扁平状にすると共に、走行機体の前方側に向けて稍傾斜させて上段のタンクの略中央を走行機体の重心位置上方となるように配置した。
【実施例】
【０００８】
本願発明の実施例を以下図面に基づいて説明する。
図１は本願装置を備えた全体側断面図であって、１は歩行型の走行機体、２は機体フレームで、該機体フレーム２上には、エンジン３、走行部のミッションケース４等が搭載され、その上部には水平方向に大きな肥料受け板５が、エンジン３前方の機枠６で前方側を支持され、また、その後方側は、ミッションケース４より走行機体１の左右両側から上方に延びて後述する下段肥料タンク７を側面リブ７ａ，７ａ（以下右側は図示せず）で支持する後方の機枠８，８の中途支持部８ａ，８ａで側面視稍前傾状に支持されていると共に、その上方には、前方から後方に亘り流動性肥料を収納するための大きな下段肥料タンク７が、走行機体１の前方側に向けて稍傾斜した状態に搭載されている。
【０００９】
そして、その下段肥料タンク７の前端中央下部にある吐出口７ｂには、太いホース１０を介して流動性肥料の繰出装置としてのポンプ１１が上記前方の機枠６の中途部に装着され、流動性肥料はポンプ１１に連結された複数の細いホース１２・を通って、後方にある繰出駆動装置たる灌中施肥部１３に送られる。
【００１０】
ここで、下段肥料タンク７の前方には、エンジン３用の燃料タンク１４が上記肥料受け板５の前端部上に、後述する上段肥料タンク１５の前側を支持する前部支持ブラケット１６の中途部とで支持されて搭載されると共に、上記ポンプ１１の下部にはドレンホース１１ａが取付けられ、通常時にはその吐出口にキャップ１１ｂをした状態で、先端側が上方に向けて係止されている。
【００１１】
また、機体フレーム２の前端側には、上記ポンプ１１を下方側から取り囲むように、バンパー１７が装着されていてポンプ１１等を防護する役目を果たす。
なお、機体フレーム２の下方には移動用の左右一対の車輪１８，１８が装着されており、ミッションケース４には、走行機体１の走行速度を変更するための主変速レバー１９が後方の運転操作部Ｂ側に向けて延設されている。
【００１２】
次に、上記上段肥料タンク１５の構成について説明するに、この例の上段肥料タンク１５は、上記下段肥料タンク７と同じものをその搭載位置を後方にずらして上下２段に搭載したものであるが、これに限定されず、上下の両肥料タンクＴ（７，１５）は、大差のない大きさのサイズのものであれば良い。
【００１３】
即ち、図１図示のものでは、機体重心線Ｇ−Ｇが上段肥料タンク１５の略中央を通る重心位置上方に搭載してあり、その前端側は上記前部支持ブラケット１６から後方に向けて腕を延ばし、上段肥料タンク１５の前側リブ１５ａ部分を支持し、後方側は下段肥料タンク７の左右両側に設けた後方の機枠８，８上に延設した後部支持ブラケット２１，２１で、上段肥料タンク１５の両側面リブ１５ｂ，１５ｂを稍前傾姿勢に確り支持して、両肥料タンクＴ内に流動性の肥料を満たした時（施肥作業の始め時）等の大なる重量にも耐えられるように構成されている。
【００１４】
そして、上下段の両肥料タンクＴの連結は、上段肥料タンク１５の前部中央下方にある吐出口１５ｃと下段肥料タンク７の前部上方に設けた供給口７ｃとを、連結ホース２２で繋いだものである。
なお、両肥料タンクＴは、夫々の上部後方に大きい肥料の補給口７ｄ，１５ｄを備えているが、通常時は蓋で覆っており、２段の肥料タンク構成時には、上段の補給口１５ｄのみを使用する。
【００１５】
従って、本願の場合には、従来の単体の肥料タンクをそのまま取付けた状態で、必要に応じて一部の部品を追加する丈で、容易に肥料タンクの容量を増大させることが可能となり、製作コスト上からもより有利となる。
【００１６】
次に、走行機体１上の後部で、上記上段肥料タンク１５の下方にある繰出駆動装置としての灌中施肥部１３について説明する。
灌中施肥部１３は、上下動する左右のクランクアーム２３，２３の先端側に、地中に出没して施肥する左右一対のノズル２４，２４を保持し、前記ポンプ１１の駆動により、ホース１２・内に流動性の肥料が供給されて、上記ノズル２４・が下動した際にのみ施肥するようになっている。
【００１７】
そして、上記ノズル２４の地中への深さ調節は、その後方に設けた一対の尾輪２５，２５の上下調節によって行われ、２６はその設定位置を係止するための係止片である。
なお、２７は上記クランクアーム２３を上下移動させる駆動源を収納した駆動ケースであり、２８は上記クランクアーム２３の下側を支持するホルダを示す。
また、走行機体１の後方には運転操作部Ｂが設けられ、その周囲には走行用のハンドル２９やクラッチ３０等が設けられている。
【００１８】
従って、以上の構成によれば、圃場等での施肥作業を行うに際し、オペレータは先ず、上段肥料タンク１５の肥料補給口１５ｄの蓋を取り、流動性肥料を２段構成の両肥料タンクＴが満杯になる迄供給する。
即ち、流動性肥料は稍前傾姿勢に搭載されている上段肥料タンク１５の傾斜底面に沿って前方に円滑に流れ、前端側にある吐出口１５ｃより、両肥料タンクＴを連結する連結ホース２２を伝わって、下段肥料タンク７の前部供給口７ｃより下段肥料タンク７内に流れて、先ず下段肥料タンク７内を満杯とし、次いで上段肥料タンク１５に溜まる。
なお、両肥料タンクＴが満杯になった時点で、上段の肥料タンク１５の補給口１５ｄには再び蓋をする。
【００１９】
そして、施肥作業をする場所迄移動した後、ポンプ１１並びに灌中施肥部１３等を駆動して施肥作業を行う訳であるが、繰出装置としてのポンプ１１の駆動により、両肥料タンクＴ内の流動性肥料を一定量づつ繰出して、ホース１２・により走行機体１後方のクランクアーム２３・の先端側に装着されたノズル２４・より、地中に施肥を行う。
【００２０】
従って、本願は肥料タンクのみの一部改造丈で、所期の目的を達成出来るので、製作コストを比較的安く押さえることが出来るものであり乍ら、上下に２段構成とした上段肥料タンク１５の略中央を走行機体１の重心位置上方に配置しているので、肥料タンクの収納容量を増大させて、１度の肥料の補給で施肥作業時の連続作業が可能となり、作業の効率が向上する効果があると共に、肥料タンク内に重い肥料を収納した状態でも、走行機体１全体の重量バランスが安定し、路上での機体移動時の走行や圃場での施肥作業時の機体１の移動が円滑となり、オペレータによるハンドル２９操作も軽くなって運転操作が楽となる効果がある。
また、施肥作業時の施肥タイミングは、ノズル２４が下降した時のみ施肥するようになっているため、肥料を無駄にするようなこともない。
【００２１】
このようにして施肥作業を繰返し行っている内に、両肥料タンクＴ内の流動性肥料は上段肥料タンク１５の上部側から徐々に少なくなって、下段肥料タンク７内も空となってくるが、このような時には畝の端部等の作業に区切りの良い場所で繰り返し肥料の供給口１５ｄより肥料を補充すれば良い。
また、施肥作業が完了して両肥料タンクＴから残りの肥料を抜く際には、ドレンホース１１ａの係止を外して下方に垂らし、キャップ１１ｂを外せば、流動性肥料がドレンホース１１ａの先端から下方に置いたバケツ等の容器に流れて回収される。
【００２２】
そして、扁平状で上下に２段の構成とした肥料タンクＴは、走行機体１の前方側に向けて稍傾斜しているので、施肥の作業中にはその流れが良く、しかも、残りの肥料を抜く際には、粘着性の強い流動性肥料の場合であっても、両肥料タンクＴ内の肥料の残量が少なくなって、無駄が省かれると同時に両肥料タンクＴ内の水等での洗浄による掃除も楽となるものである。
【００２３】
次に、図２に記載のものは上記図１のものに更に機能を追加した全体側断面図であって、殆どの構成は図１のものと同様であるが、先ず、上記ノズル２４部分の周囲に圧縮スプリング３２を巻装して、ノズル２４部分の周辺に巻きついた雑草等をノズル２４が上下に移動する度毎に、上記圧縮スプリング３２の弾発力で外すようにしたものである。
即ち、ノズル２４の上昇時に、これまで地面との間で圧縮されていた圧縮スプリング３２が弾発力で延びることにより、自動的に雑草等を外す作用を利用したものである。
この構成により、従来、ノズル２４周辺に雑草等が巻きついた時には、オペレータが手でそれをいちいち外していたので、そのための作業が煩わしく、度々施肥作業を中断する等作業効率が悪かったが、それらがこの構成により解消されるものである。
【００２４】
また、機体フレーム２の下方には、上下に調節自在な均平板３３を備えたもので、３４は上下調節機構であり、均平板３３の横方向の幅は、直後に位置する左右両車輪１８，１８の横幅と同等若しくはそれ以上となっている。
即ち、施肥機で施肥作業をする際に、左右の車輪１８，１８の通る走行面が、凸凹していたり傾斜していると、重量の大なる上下に２段構成の肥料タンクＴが上方にあって、内部の流動性肥料が移動することにより、走行機体１移動時の機体バランスが不安定となって、走行時に支障が出ると共に、施肥する際の左右一対のノズル２４，２４の施肥深さが不均一となり、その後の作物の生育状況にバラツキが発生したりするが、均平板３３により、予め走行面を均平にするため、そのような支障がなくなるばかりか、同時に除草の効果もある。
しかも、車輪１８，１８の走行面が平地で、走行幅も確保されている時には、上下調節機構３４により、均平板３３が作用しない位置に上動係止しておけば良い。
【００２５】
更に、図３に記載のものは、灌中施肥部１３の要部の詳細を示し、（ａ）は斜視図、（ｂ）は背面図を示し、施肥機が施肥作動を行う際に、ノズル２４が上下移動する度毎にこれに連結されたホース１２が大きく上下移動して、両肥料タンクＴや灌中施肥部１３の一部等に接当して、ホース１２の接触部を傷めたりするため、灌中施肥部１３の上部一側にガイドパイプステー３５を介してガイドパイプ３６を回動自在に設け、また、ガイドパイプステー３５を図３（ｂ）の鎖線の如く、上下に角度調節出来るようにし、ホース１２の先端側を分割して、上記ガイドパイプ３６とノズル２４間をノズルパイプ１２ａとしたものである。
従って、これによりノズル２４が上下に往復移動しても、ガイドパイプ３６やガイドパイプステー３５がノズルパイプ１２ａの姿勢変化を吸収して、上記支障を防止するものである。
なお、３７はクランクアーム２３に備えた弾性材のバンドで、ノズルパイプ１２ａの先端側を保持するためのもの、３８はプランジャポンプである。
【００２６】
更にまた、図４に記載のものは、施肥幅が調節出来る施肥機の尾輪幅調節に関し、（ａ）は要部の背面図、（ｂ）は要部の拡大作用説明図を示す。
即ち、これらの施肥機において、従来より両車輪１８，１８幅は調節可能に構成されていたが、両尾輪２５，２５幅は固定であったので、作業時に不便を来しており、しかも、尾輪２５幅が余り狭いと、走行上も不安定となっていた。
そこで、本案のものは、図（ｂ）記載の如く、中央の尾輪車軸３８に対し、左右の尾輪支軸３９，３９と一体なパイプ４０，４０を尾輪車軸３８に対して左右両側から嵌装し、ボルト４１，４１によって、任意の位置で固定することにより、尾輪２５幅を無段階に調節出来るようにしたものである。
従って、これにより施肥幅を植付作物に合わせて広狭調節したような際に、これに合わせて両車輪１８，１８幅及び尾輪２５幅をも任意に調節することが出来、適応作物の作業範囲が拡大すると共に、可能な範囲で尾輪２５幅を拡大することで、走行の安定性が向上するものである。
なお、符号４２はＣリングであり、尾輪支軸３９と尾輪２５間はフリー回転であることは、言うまでもない。
【図面の簡単な説明】
【００２７】
【図１】全体側断面図である。
【図２】一部の機能を追加した全体側断面図である。
【図３】灌中施肥部の要部の詳細を示し、夫々（ａ）は斜視図、（ｂ）は背面図である。
【図４】施肥幅が調節出来る施肥機に関し、（ａ）は要部の背面図、（ｂ）は要部の拡大作用説明図である。
【符号の説明】
【００２８】
１  走行機体
２  機体フレーム
７  下段肥料タンク
１１  ポンプ
１３  灌中施肥部
１５  上段施肥タンク
２２  連結ホース
２４  ノズル
Ｂ  運転操作部
Ｔ  両肥料タンク
Ｇ−Ｇ  機体重心線
【図１】
2005137302.tif 000003
【図２】
2005137302.tif 000004
【図３】
2005137302.tif 000005
【図４】
2005137302.tif 000006